(57)【要約】      （修正有）【課題】導波路に巣を形成することなく安定した周波数特性を維持可能な導波管ケースを提供する。【解決手段】予め製作された導波管ブロック３が導波路１５を有し、前記導波管ブロックが所定位置に位置決めされて埋設される様ダイキャストにより一体成型された。【選択図】図１
2010268057.tif 000002
【特許請求の範囲】
【請求項１】
予め製作された導波管ブロックが導波路を有し、前記導波管ブロックが所定位置に位置決めされて埋設される様ダイキャストにより一体成型されたことを特徴とする導波管ケース。
【発明の詳細な説明】
【技術分野】
【０００１】
本発明は、導波管ケース、特に導波管接続部を有する導波管ケースに関するものである。
【背景技術】
【０００２】
導波管は、矩形断面中空管であり、マイクロ波からミリ波に及ぶ周波数領域に於ける電磁波の伝播路として使用されるものである。
【０００３】
導波管は端部に円筒形状のフランジ部を有し、導波管と導波管ケースの接続は、フランジ部をボルト等の固定手段によって導波管ケースに固定する。
【０００４】
従来、導波管が接続される導波管ケースは、導波管に連通し、導波管の一部を構成する矩形の孔が機械加工によって削出されているので、削りかすが大量に発生し、又製作費が高くなっている。削りかすの量を減少させる手段として、導波管ケースをダイキャストで成型する方法があるが、ダイキャスト型を使用した場合、導波路を成型する際には抜き勾配が必要となり、抜き勾配を修正する為の後加工が必要となる。又、ダイキャスト型は構造上、巣（空気孔）をなくすことは不可能である。図６に示される様に導波路の壁面に巣１１が形成されると、導波管の導波路１５を通る電磁波の波長が変化する等周波数特性が悪くなり、電気的特性に甚大な影響を及すという問題があった。
【０００５】
又、ダイキャスト型での製作は導波路に巣１１が形成された際にケース部ごと使用できなくなる為、代りのケース部を用意しなければならず、歩留りが低下し、コストが掛るという問題があった。
【０００６】
尚、導波管の接続構造については、特許文献１、特許文献２に示されるものがある。
【先行技術文献】
【特許文献】
【０００７】
【特許文献１】特開２００３−１１０３０１号公報
【特許文献２】特開２００８−２８９０４１号公報
【発明の概要】
【発明が解決しようとする課題】
【０００８】
本発明は斯かる実情に鑑み、導波路の壁面に巣を形成することなく安定した周波数特性を維持可能な導波管ケースを提供するものである。
【課題を解決するための手段】
【０００９】
本発明は、予め製作された導波管ブロックが導波路を有し、前記導波管ブロックが所定位置に位置決めされて埋設される様ダイキャストにより一体成型された導波管ケースに関するものである。
【発明の効果】
【００１０】
本発明によれば、予め製作された導波管ブロックが導波路を有し、前記導波管ブロックが所定位置に位置決めされて埋設される様ダイキャストにより一体成型されたので、成型時に溶融金属を注入しても導波管ブロックが位置ずれすることなく、更に導波路に巣が形成されず、安定した周波数特性を維持できるという優れた効果を発揮する。
【図面の簡単な説明】
【００１１】
【図１】本発明に於ける導波管ケースの正面から見た斜視図である。
【図２】（Ａ）は導波管ケースの正面図、（Ｂ）は導波管ケースの上面図、（Ｃ）は導波管ケースの背面図、（Ｄ）は導波管ケースの側面図を示している。
【図３】（Ａ）は導波管ブロックの正面から見た斜視図、（Ｂ）は導波管ブロックの背面から見た斜視図である。
【図４】図１の導波管ケースから導波管ブロックを取除いたと仮定した想像図である。
【図５】導波管ケース成型時に於ける導波管ブロックとダイキャスト型の側断面図である。
【図６】従来例に於いて導波路にできた巣を示す斜視図である。
【発明を実施するための形態】
【００１２】
以下、図面を参照しつつ本発明の実施例を説明する。
【００１３】
先ず、図１〜図４に於いて、導波管ケース１、及びケース部２及び導波管ブロック３について説明する。尚、図１〜図４中、図６と同等のものには同符号を付してある。
【００１４】
導波管ケース１はダイキャストによる成形品であり、図２（Ｂ），（Ｄ）に示される様に側面に抜き勾配が形成された平編な略直方体であるケース部２と、図２（Ａ）に示される様にケース部２の上面両側端部２箇所に垂直方向に埋設された導波管ブロック３とで構成されており、後述する導波路１５に電磁波を発振する機能を有している。
【００１５】
図２（Ｃ）に示される様にケース部２の裏面には基板や他のケース部２を取付ける為の取付け凹部８が凹設されると共に、電気的特性を維持させる為に機械加工によって面精度が確保されている。又、ケース部２の表面、裏面、側面の表面及びその面内には、ダイキャスト成型時に多数の巣（空気孔）１１が形成される。
【００１６】
又、図３に示される様に、導波管ブロック３は円柱形状であり、導波管ブロック３の上面及び下面の何れか一方に形成された導波管フランジ接続面１３及び他方に形成された導波管ブロック裏面１４と、導波管フランジ接続面１３の中心から導波管ブロック３を垂直方向に貫通する様穿設された直方体形状の導波路１５と、導波管ブロック３の側面に所定数形成されたずれ止め凸部６とを有している。
【００１７】
導波管ブロック３は、焼結金属や削出しの金属等、ケース部２よりも密度の高い金属で形成されており、導波管フランジ接続面１３と導波管ブロック裏面１４には電気的特性を維持させる為に機械加工によって面精度が確保されている。又、導波管接続面１３には図示しない導波管のフランジ部と接続する為のネジ孔１２が穿設されている。
【００１８】
又、図４は導波管ケース１から導波管ブロック３を取除いたと仮定した図であり、導波管ブロック３が埋設されていた箇所には導波管ブロック嵌合孔５が形成され、導波管ブロック嵌合孔５の壁面には、ずれ止凸部６と同形状のずれ止凹部７が形成されている。
【００１９】
次に、導波管ケース１を成型する手順について説明する。
【００２０】
先ず、図示しない導波管ブロック金型に金属粉を注入し、焼結させて焼結金属製の導波管ブロック３を成型する。図示しない導波管ブロック金型には、導波路１５と同形状の凸部、及びずれ止凸部６と同形状の凹部が設けられており、導波管ブロック金型を用いて導波管ブロック３を成型することで、機械加工により切削することなく図３に示される様な導波路１５及びずれ止凸部６を有する導波管ブロック３が成型される。
【００２１】
尚、導波管ブロック３はケース部２よりも密度が高ければよいので、金属ブロックを削出して導波管ブロック３、導波路１５及びずれ止凸部６を成型してもよい。
【００２２】
次に、図５に示される様に、成型した導波管ブロック３をダイキャスト型１６に入れる。ダイキャスト型１６の中には、所定の２箇所（図中では１箇所）に位置ずれ防止突起１７が設けられており、位置ずれ防止突起１７が導波路１５に嵌入されることで、導波管ブロック３が位置決めされる様になっている。
【００２３】
尚、導波管ブロック３は、導波管フランジ接続面１３を下にして導波路１５にずれ止防止突起１７を隙間なく挿入し、挿入後は導波管フランジ接続面１３がダイキャスト型１６と当接し、ずれ止防止突起１７の先端面と導波管ブロック裏面１４が面一となる様になっている。
【００２４】
最後に、ダイキャスト型１６にケース部２の元となる溶融金属（例えばアルミニウム）が高圧で注入されることで、導波管ブロック３が一体となった導波管ケース１が成型される。
【００２５】
この時、導波管ブロック３の導波路１５にはダイキャスト型１６の位置ずれ防止突起１７が挿入されているので、溶融金属注入時にも位置ずれすることなく一体成型される。又、溶融金属注入時にずれ止凸部６に対応した凹部が形成され、ケース部２が成型された際には、ずれ止凸部６がケース部２のずれ止凹部７に嵌合される形で導波管ブロック３が導波管ブロック嵌合孔５に固定される。成型後、導波管ブロック３の表面は露出しており平面精度は高いので、更に仕上げ加工する必要がない。
【００２６】
導波管ケース１成型後は、導波管フランジ接続面１３に図示しない導波管のフランジ部と当接させ、ネジやボルト等の固着具をネジ孔１２に挿通して固着することで、導波管ケース１と導波管が接続され、導波管を介して所定の場所迄電磁波を導くことが可能となる。
【００２７】
上述の様に、導波管ブロック３はケース部２の溶融金属よりも密度が高く融点の高い焼結金属で予め成型されているので、溶融金属注入時にも導波管ブロック３が溶融せず、導波路１５に巣１１が形成されることなく一体成型される。又、導波路１５の壁面も導波路として充分な精度を有しているので、安定した周波数特性を維持することができると共に、巣１１の発生によって導波管ケース１ごと廃棄する必要がなくなり、コストの削減が可能となる。
【００２８】
又、導波管ブロック３のずれ止凸部６がケース部２のずれ止凹部７と嵌合して拘束されているので、導波管ケース１成型後に導波管ブロック３が位置ずれを起すことがない。
【００２９】
又、ダイキャスト型１６を用いてケース部２を成型したので、ケース部２裏面の取付け凹部８を機械加工によって設ける必要がなく、又導波管ブロック３を焼結金属で成型したので、成型時に導波路１５に抜き勾配を設ける必要がなくなり、機械加工量を減少させることができ、加工工数が減少して製作コストが低減すると共に、削りかすの量の削減が図れ、環境への負荷を軽減することができる。
【符号の説明】
【００３０】
１              導波管ケース
２              ケース部
３              導波管ブロック
６              ずれ止凸部
７              ずれ止凹部
１１            巣
１５            導波路
１７            位置ずれ防止突起
【図１】
2010268057.tif 000003
【図２】
2010268057.tif 000004
【図３】
2010268057.tif 000005
【図４】
2010268057.tif 000006
【図５】
2010268057.tif 000007
【図６】
2010268057.tif 000008